(57)【要約】【課題】メイン基板に対する子基板の取付強度の向上、メイン基板の放熱効率および一つの電子機器に各種の機能を交換的に果たさせることを可能にする。【解決手段】制御ユニットを構成する子基板１５を収容したリアケース２と、リアケースの表面部に配置されて表示器ユニットを構成するメイン基板４を収容したフロントケース１とから構成され、子基板１５の一側部をメイン基板４にコネクタを介して電気的に接続した電子機器におけるメイン基板への子基板の取付構造であって、子基板１５の一側部を保持する基板保持具１０をフロントケース１に着脱自在に設けると共に、基板保持具に保持脚部１０ｂを複数個設けて、保持脚部に子基板１５を保持固定する把持溝手段１０ｃを設けた。【選択図】　図２
2004128137.tif 000002
【特許請求の範囲】
【請求項１】
制御ユニットを構成する子基板を収容したリアケースと、該リアケースの表面部に配置されて表示器ユニットを構成するメイン基板を収容したフロントケースとから構成され、前記子基板の一側部を前記メイン基板にコネクタを介して電気的に接続した電子機器におけるメイン基板への子基板の取付構造であって、
前記子基板の一側部を保持する基板保持具を前記フロントケースに着脱自在に設けると共に、前記基板保持具に保持脚部を複数個設けて、該保持脚部に前記子基板を保持固定する把持手段を設けたことを特徴とする電子機器におけるメイン基板への子基板の取付構造。
【請求項２】
前記把持手段は、前記保持脚部に形成した溝から構成されていることを特徴とする請求項１の電子機器におけるメイン基板への子基板の取付構造。
【請求項３】
前記基板保持具は前記メイン基板の中央部を横切って設けられていることを特徴とする請求項１又は２記載の電子機器におけるメイン基板への子基板の取付構造。
【請求項４】
前記基板保持具は、前記フロントケースに着脱自在に架設されたブリッジ板部を有し、該ブリッジ板部に前記保持脚部が形成されていることを特徴とする請求項１、２又は３記載の電子機器におけるメイン基板への子基板の取付構造。
【請求項５】
前記基板保持具における前記ブリッジ板部は前記フロントケースから起立する一対の取付板に着脱自在に取付けられていることを特徴とする請求項１、２、３又は４記載の電子機器におけるメイン基板への子基板の取付構造。
【請求項６】
前記メイン基板において、その中央部を横切るように設けられた前記基板保持具の両側に複数の子基板を起立状態で配列して、該子基板の一側端部を前記基板保持具に固定保持すると共に、前記子基板の他側端部を前記フロントケースに固定保持させたことを特徴とする請求項１ないし５のいずれか１つに記載の電子機器におけるメイン基板への子基板の取付構造。
【請求項７】
前記フロントケースに支持脚を形成して、該支持脚に前記子基板の他側端部を固定保持させたことを特徴とする請求項６記載の電子機器におけるメイン基板への子基板の取付構造。
【請求項８】
所望の機能を有する選択された任意の子基板を前記基板保持具に装着された前記子基板と交換可能に構成することにより電子機器に選択された前記任意の子基板に対応する機能を交換的に果させることが可能に構成したことを特徴とする請求項１ないし７のいずれか１つに記載の電子機器におけるメイン基板への子基板の取付耕造。
【請求項９】
前記子基板の一側部に、該一側部の幅が前記メイン基板に接近するに連れて漸次減少する傾斜部と、該傾斜部より前記メイン基板から遠い位置に位置する係合段部とを形成し、前記子基板を前記基板保持具に組付けることにより、前記傾斜部は前記把持溝手段に着脱自在に嵌合可能に、かつ前記係合段部は前記把持溝手段の端部に当接自在に構成されていることを特徴とする請求項１ないし８のいずれか１つに記載の電子機器におけるメイン基板への子基板の取付構造。
【発明の詳細な説明】
【０００１】
【発明の属する技術分野】
本発明は、温度調節器やデジタルパネルメータ等の電子機器におけるメイン基板への子基板の取付構造に関する。
【０００２】
【従来の技術】
この種の電子機器は、例えば、図１４に示すように、フロントケース１００と、フロントケース１００に組み付けられた第１基板１０１と、フロントケース１００から突設する取付脚にハンダ等で取付けられた上下側板１０２間に配置されて第１基板１０１に接続される第２基板１０３と、第２基板１０３に接続されて上下側板１０２に装着されるベース１０４とを主たる構成要素として構成している（例えば、特許文献１参照）。
【０００３】
【特許文献１】
特開平０６−１９６８７０号公報
【０００４】
かかる構成によれば、第１基板１０１と共に、第２基板１０３は、当該電子機器毎に専用品として作製されており、機器の性能の一部等を異ならせて使用する場合には、各機能毎に電子機器自体を用意する必要があった。
【０００５】
このために、近年、第２基板を交換することにより、電子機器自体の機能を異ならせて、一つの電子機器に各種の機能を交換的に果たさせるものが開発されている。
【０００６】
これによれば、複数の第２基板の一側端部をフロントケースに交換可能に取付けるとともに、他側端部はコネクタを介して第１基板に保持させている。
【０００７】
【発明が解決しようとする課題】
しかしながら、第２基板の他側端部をコネクタにより第１基板に保持させるだけでは基板の取付構造の強度としては不十分であり、このため第２基板がぐらついて第１基板から外れかけたり、或いは外れたりして第１基板との間で電気的接続不良が生ずるというおそれがあった。
【０００８】
また、上記特許文献１記載の発明では、第２基板１０３は上下両側板１０２間に配置されて、全体として箱型状に形成されているため、第１および第２基板１０１、１０３からの放射熱がこもってしまい各基板の放熱性に課題を残していた。
【０００９】
本発明は、上記問題点に着目してなされたもので、その目的とするところは、子基板の取付強度が高く、かつメイン基板の放熱性に優れると共に、一つの電子機器に各種の機能を交換的に果たさせることが可能な電子機器におけるメイン基板への子基板の取付構造を提供することにある。
【００１０】
【課題を解決するための手段】
上記目的を達成するため、本発明は、制御ユニットを構成する子基板を収容したリアケースと、該リアケースの表面部に配置されて表示器ユニットを構成するメイン基板を収容したフロントケースとから構成され、前記子基板の一側部を前記メイン基板にコネクタを介して電気的に接続した電子機器におけるメイン基板への子基板の取付構造であって、前記子基板の一側部を保持する基板保持具を前記フロントケースに着脱自在に設けると共に、前記基板保持具に保持脚部を複数個形成して、該保持脚部に前記子基板を保持固定する把持手段を設けている。
【００１１】
従って、本発明は、基板保持具に保持脚部を形成して、該保持脚部の把持手段に子基板の一側部を保持させるため、取付強度が高く、このため子基板がぐらついたり、或いは外れたりするおそれがなく、よってメイン基板との間での電気的接続不良の発生といった事態を未然に防止することができる。また、子基板はその一側部が保持脚部に保持されるだけであり、子基板の他側部間は開放されているため、子基板間でメイン基板からの放射熱がこもることがなく、よってメイン基板の放熱効率が向上する。さらに子基板はフロントケースに対して着脱自在であるから、子基板を任意に交換することにより一つの電子機器に各種の機能を交換的に果たさせることが可能である。さらに基板保持具は着脱自在であることからメンテナンス性が向上する。
【００１２】
また、本発明は、前記把持手段は、前記保持脚部に形成した溝から構成することや、前記基板保持具が前記メイン基板の中央部を横切って設けられることや、前記基板保持具は、前記フロントケースに着脱自在に架設されたブリッジ板部を有し、該ブリッジ板部に前記保持脚部を形成することが考えられる。
【００１３】
従って、本発明は、基板保持具はメイン基板の中央部に設けられるため、子基板における基板保持具１０側の側端部が確実に保持されることになり、よって子基板の取付強度がさらに増大する。しかもメイン基板を横切るのはブリッジ板部だけであるから、メイン基板の放熱効率およびメイン基板に対する電子部品の実装効率のさらなる改善が可能になる。
【００１４】
さらに本発明、前記基板保持具における前記ブリッジ板部は前記フロントケースから起立する一対の取付板に着脱自在に取付けることが考えられる。
【００１５】
従って、本発明は、フロントケースに対する基板保持具の装着・離脱をさらに容易にすることができる。
【００１６】
さらにまた本発明は、前記メイン基板において、その中央部を横切るように設けられた前記基板保持具の両側に複数の子基板を起立状態で配列して、該子基板の一側端部を前記基板保持具に固定保持すると共に、前記子基板の他側端部を前記フロントケースに固定保持させることや、前記フロントケースに支持脚を形成して、該支持脚に前記子基板の他側端部を固定保持させることが考えられる。
【００１７】
従って、本発明は、子基板が基板保持具とフロントケースとに確実に保持されるため、子基板の取付強度を一層高めることが可能になると共に、基板保持具の長さを長くするだけで容易に子基板の取付個数を増加させることができる。
【００１８】
さらにまた本発明は、所望の機能を有する選択された任意の子基板を前記基板保持具に装着された子基板と交換可能に構成することにより電子機器に選択された前記任意の子基板に対応する機能を交換的に果たさせることが可能に構成することが考えられる。
【００１９】
従って、本発明は、電子機器の性能の一部等を異ならせて使用する場合には、所望の機能を有する子基板をすでに基板保持具に装着された子基板と選択的に交換すればよく、従来のように要求される機能に応じて電子機器自体を用意する必要はない。
【００２０】
さらにまた本発明は、前記子基板の一側部に、該一側部の幅が前記メイン基板に接近するに連れて漸次減少する傾斜部と、該傾斜部より前記メイン基板から遠い位置に位置する係合段部とを形成し、前記子基板を前記基板保持具に組付けることにより、前記傾斜部は前記把持溝手段に着脱自在に嵌合可能に、かつ前記係合段部は前記把持溝手段の端部に当接自在に構成することが考えられる。
【００２１】
従って、本発明は、子基板の着脱は、子基板の押込みまたは抜出しだけで行なえるため、基板保持具に対する子基板の着脱の容易化が図れる。
【００２２】
【発明の実施の形態】
以下、本発明に係る電子機器におけるメイン基板への子基板の取付構造の実施形態を、図面を参照しながら説明する。
【００２３】
図１は電子機器の外観を示す斜視図、図２は電子機器を分解して示すメイン基板への子基板の取付構造を示す斜視図である。
【００２４】
電子機器のケースはフロントケース１とリアケース２とから構成されており、フロントケース１のフロントパネルには表示部１ａと複数のキー孔１ｂとが形成されている。
【００２５】
フロントケース本体３後面の周縁からは横断面矩形状の周壁３ａが後方突設されており、周壁３ａの開口部にはメイン基板４が嵌合されている。周壁３ａの左右両側壁からは複数の弾性変形自在な支持脚５が所定の間隔をおいて起立しており、それぞれの支持脚５には、図３にも示すように、後述の子基板１５を係合させるための上面開口の割溝６が縦設されており、各割溝６の上端部は底面が閉塞されて、その底面には子基板１５の上向き段部１５ｂを係合させるための係合段部６ａが形成されている。
【００２６】
一方、周壁３ａの上下両側壁の中央部からは、図４にも示すように、弾性変形自在な取付板７が上下に相対向して起立しており、両取付板７には上面開口の係合溝８が縦設されていると共に、係合溝８の上端部には窓部８ａが開口している。
【００２７】
取付板７は次に述べる基板保持具１０を取付けるためのものである。基板保持具１０は子基板１５を保持するためにメイン基板４の左右中間部を上下に横切って配置されるもので、図５ないし図１０にも示すように、メイン基板４を横切るブリッジ板部１０ａの左右両側から子基板１５と同数の保持脚部１０ｂを起立している。
【００２８】
それぞれの保持脚部１０ｂには、子基板１５を係合させるための把持溝手段である上面開口の割溝１０ｃが縦設されており、各割溝１０ｃの上端部は底面が閉塞されて、その底面には子基板１５の上向き段部１５ｂを係合させるための係合段部１０ｄが形成されている。なお、把持溝手段としては、割溝に限定されることなく、例えば、割溝の底面を閉塞した横断面コ字状の溝であってもよい。
【００２９】
また、ブリッジ板部１０ａの両端部からは取付板部１０ｅが起立しており、両取付板部１０ｅには取付板７の窓部８ａに係合自在な係合突部１０ｆが形成されている。さらに、ブリッジ板部１０ａの中央部からはメイン基板４の係合孔４ａに係合自在な取付爪１０ｇがメイン基板４方向に突設されていると共に、ブリッジ板部１０ａのメイン基板４側にはメイン基板４の嵌合孔４ｂに嵌合自在な突部１０ｈが形成されている。
【００３０】
上記の如く、フロントケース１の左右両側には支持脚５が形成され、またフロントケース１の左右方向中間部には基板保持具１０が設けられることにより、左側の支持脚５と基板保持具１０との間には起立状態で配列される左側子基板１５用の第１スペースが、また右側の支持脚５と基板保持具１０との間には起立状態で配列される右側子基板１５用の第２スペースが形成される。
【００３１】
次に図３を基に子基板１５について説明する。子基板１５の一側部、すなわち支持脚５と保持脚部１０ｂとに保持される子基板１５の下端部は左右の幅が下方に向かうに連れて漸次減少する傾斜部１５ａに形成されており、さらにこの傾斜部１５ａよりもやや上方の左右両側部には上向き段部１５ｂが形成されている。一方、子基板１５の上端部における左右両側部には下向き段部１５ｃが形成されている。
【００３２】
次に、子基板１５を保持させる手順について説明する。まず基板保持具１０を図２に示すようにメイン基板４の左右中間部を上下に横切るように位置させ、かつ図４に示すように、取付板部１０ｅを取付板７の係合溝８に嵌合させて基板保持具１０を押込むと、係合突部１０ｆが係合溝８底面に接触して取付板７を外方に拡開させることにより係合突部１０ｆが取付板７の窓部８ａに係合する。これによって基板保持具１０がフロントケース１に固定される。
【００３３】
次に、図３および図４に示すように、子基板１５の一側部を相対向する支持脚５と保持脚部１０ｂとのそれぞれの割溝６、１０ｃ間に位置させて押し込むと、支持脚５と保持脚部１０ｂとが外方に拡開して、子基板１５の上向き段部１５ｂが段部６ａ、１０ｄに係合する。これによって子基板１５が支持脚５と保持脚部１０ｂとに固定される。
【００３４】
なお、上記では基板保持具１０は取付板７とは別体に形成されているが、これに限らず取付板７と基板保持具１０とを一体に形成して、取付板７をフロントケース１に対して着脱自在に構成することも可能である。
【００３５】
上記のようにして子基板１５を基板保持具１０の左右両側に位置させて、基板保持具１０の左側に配列された子基板１５の左側端部を支持脚５に、右側端部を基板保持具１０に、それぞれ固定保持させると共に、基板保持具１０の右側に配列された子基板１５の右側端部を支持脚５に、左側端部を基板保持具１０に、それぞれ固定保持させる。
【００３６】
電子機器の機能の一部等を異ならせて使用する場合には、基板保持具１０に装着されている子基板１５を取り外して、所望の機能を有する選択された任意の子基板１５を基板保持具１０に新たに取付ければよい。
【００３７】
次いで図２に示すようにして子基板１５をリアケース２に挿入してフロントケース１をリアケース２に組付ける。リアケース２の底壁２ａには、この底壁２ａの左右中間部を上下に横切る保持壁２ｂが貫設されており、保持壁２ｂの左右両面とリアケース２の左右両内側面とのそれぞれには子基板１５の先端部（図３では上端部）に形成された下向き段部１５ｃが係合自在な溝部が形成されていると共に、リアケース２の底壁２ａ裏面には子基板１５の回路パターンに接続可能な端子２０が設けられている。
【００３８】
図１１ないし図１３は第２の実施形態を示す。本実施形態はメイン基板４の上下の幅が第１の実施形態の二分の一である電子機器に本発明を適用した例を示す。フロントケース１の上下幅はメイン基板４の寸法に応じて二分の一とされ、また基板保持具１０の長さも二分の一とされている。従って、フロントケース１に保持される子基板１５の数も二分の一である。なお、基板保持具１０は第１実施形態における基板保持具の二分の一の長さで、保持する子基板１５の数も少ないことから取付爪１０ｇは省略されている。その他の構成は第１実施形態と同一であるから説明を省略する。
【００３９】
【発明の効果】
本発明は、基板保持具に保持脚部を形成して、該保持脚部の把持手段に子基板の一側部を保持させるため、取付強度が高く、このため子基板がぐらついたり、或いは外れたりするおそれがなく、よってメイン基板との間での電気的接続不良の発生といった事態を未然に防止することができる。また、子基板はその一側部が保持脚部に保持されるだけであり、子基板の他側部間は開放されているため、子基板間でメイン基板からの放射熱がこもることがなく、よってメイン基板の放熱効率が向上する。さらに子基板はフロントケースに対して着脱自在であるから、子基板を任意に交換することにより一つの電子機器に各種の機能を交換的に果たさせることが可能である。さらに基板保持具は着脱自在であることからメンテナンス性が向上する。
【図面の簡単な説明】
【図１】本発明に係る電子機器におけるメイン基板への子基板の取付構造の外観を示す斜視図である。
【図２】同じく、図１の分解斜視図である。
【図３】同じく、図２のＡ−Ａ線に沿う断面図である。
【図４】同じく、図２のＢ−Ｂ線に沿う断面図である。
【図５】同じく、基板保持具の側面図ある。
【図６】（ａ）同じく、基板保持具の下面図である。
（ｂ）同じく、基板保持具の左側面図である。
（ｃ）同じく、基板保持具の右側面図である。
【図７】同じく、基板保持具の上面図である。
【図８】同じく、図７のＣ−Ｃ線に沿う断面図である。
【図９】同じく、図７のＤ−Ｄ線に沿う断面図である。
【図１０】同じく、図７のＥ−Ｅ線に沿う断面図である。
【図１１】第２実施形態を示すもので、図２相当図である。
【図１２】同じく、図１１のＦ−Ｆ線に沿う断面図である。
【図１３】同じく、基板保持具の側面図ある。
【図１４】従来の電子機器の分解斜視図である。
【符号の説明】
１　　フロントケース
２　　リアケース
４　　メイン基板
７　　取付板
１０　　基板保持具
１０ａ　ブリッジ板部
１０ｂ　保持脚部
１０ｃ　把持溝手段
１５　　子基板
１５ａ　傾斜部
１５ｂ　係合段部
【図１】
2004128137.tif 000003
【図２】
2004128137.tif 000004
【図３】
2004128137.tif 000005
【図４】
2004128137.tif 000006
【図５】
2004128137.tif 000007
【図６】
2004128137.tif 000008
【図７】
2004128137.tif 000009
【図８】
2004128137.tif 000010
【図９】
2004128137.tif 000011
【図１０】
2004128137.tif 000012
【図１１】
2004128137.tif 000013
【図１２】
2004128137.tif 000014
【図１３】
2004128137.tif 000015
【図１４】
2004128137.tif 000016